【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
デッキ・パネルを貨物室の側壁に旋回可能に取り付けるためのヒンジ及び支持部のシステムにおいて、
床（１８）及び間隔をおいて配置された少なくとも２つの側壁（１４，１６）を有する貨物室（１２）と、
旋回軸回りに運動するように前記側壁の１つに取り付けられたデッキ・パネル（５０）と、
前記側壁の１つに沿ってほぼ水平に延伸し、中に１つ以上のポケットを画定する支持部材（７５）であって、前記１つ以上のポケットが、ぞれぞれ、前記旋回軸に沿って配置された細長い溝を画定する支持部材と、
前記デッキ・パネル（５０）に取り付けられたヒンジ部材（５５）であって、前記ヒンジ部材が前記支持部材に対して前記旋回軸回りに旋回運動を行えるように、前記ポケットに挿入される大きさ及び形状の突出部を画定するヒンジ部材と、
によって特徴づけられる、ヒンジ及び支持部のシステム。
【請求項２】
前記ヒンジ部材は、さらにプランジャー（９１）を備え、前記プランジャーは、前記ヒンジ部材（９０）の内部に配置され、前記ヒンジを前記ポケットの内部に保持するために、前記突出部の周面にある切れ目に対して相対的に可動である、請求項１に記載のヒンジ及び支持部のシステム。
【請求項３】
前記プランジャーは、ネジ又はバネ（９４）からなる群の中の一つを用いて位置決めされる、請求項２に記載のヒンジ及び支持部のシステム。
【請求項４】
前記支持部材は、第１の棚状部（８０）を画定し、前記第１の棚状部は、展開配置された前記デッキ・パネルと係合して、前記ヒンジ部材を前記デッキ・パネル（５０）及び前記デッキ・パネル上の品物の重量から実質的に分離するように配置される、請求項１に記載のヒンジ及び支持部のシステム。
【請求項５】
前記支持部材は、第２の棚状部（８２）を画定し、前記第２の棚状部は、前記デッキ・パネルが前記側壁近傍でほぼ直立に収納されたときに前記デッキ・パネルの重量を支え、前記ヒンジ部材（５５）を前記デッキ・パネルの重量から実質的に分離するように配置される、請求項４に記載のヒンジ及び支持部のシステム。
【請求項６】
前記ヒンジ部材（５５）は、前記デッキ・パネル（５０）を展開したときに、前記ヒンジ部材が前記デッキ・パネルに対して相対的に移動できるように、前記デッキ・パネルに可動に支持され、前記ヒンジ部材の移動は、前記側壁に対して垂直な運動成分を有する、請求項１に記載のヒンジ及び支持部のシステム。
【請求項７】
前記ヒンジ部材（５５）は、少なくとも１つのブロックを含み、前記ブロックは、前記デッキ・パネルの端部に形成された穴（６３）に入れることができる大きさである、請求項６に記載のヒンジ及び支持部のシステム。
【請求項８】
前記少なくとの１つのブロック（５７）は、細長い単一構造からなり、前記デッキ・パネルの端部に形成された穴に入れることができる大きさである、請求項７に記載のヒンジ及び支持部のシステム。
【請求項９】
前記少なくとも１つのブロック（５７）は、複数の独立したブロックを含み、前記複数の独立したブロックは、前記デッキ・パネルの端部に形成された別々の穴に入れることができる大きさである、請求項７に記載のヒンジ及び支持部のシステム。
【請求項１０】
前記少なくとも１つのブロックは、少なくとも１つの弾性部材によって、前記穴の内壁に向けて引張り戻される、請求項７に記載のヒンジ及び支持部のシステム。
【請求項１１】
前記突出部（６０）は、可撓性のある突出部であり、ひとりの人が、前記可撓性のある突出部を前記ポケット（８６）にパチンと嵌め、かつ、引き抜くことができるように選択された大きさ、形状、及び柔軟性を有する、請求項１に記載のヒンジ及び支持部のシステム。
【請求項１２】
前記細長い溝は、それぞれ、円の一部からなる断面を有し、前記断面は、前記可撓性のある突起部（６０）が曲げられ、前記ポケット（８６）にパチンと嵌められたときに、前記ポケットが前記可撓性のある突出部を閉じこめることができるように、１８０度を超えて延在する、請求項１１に記載のヒンジ及び支持部のシステム。
【請求項１３】
前記第２の部材は、基部に連結された複数の前記可撓性のある突出部（６０，６１）を含み、前記突出部は、円の一部に沿っており、一端が前記基部に取り付けられている、請求項１１に記載のヒンジ及び支持部のシステム。
【請求項１４】
前記基部に連結された前記可撓性のある突出部は、少なくとも１つの弧状指部（６０）であって、少なくとも１つの他の弧状指部（６１）の湾曲方向と反対の湾曲方向を有する弧状指部を含む、請求項１３に記載のヒンジ及び支持部のシステム。
【請求項１５】
中に１つ以上のポケット（８６）を画定する第１の部材（７５）であって、前記１つ以上のポケットが、それぞれ細長い溝を画定し、前記細長い溝が旋回軸に沿って配置される第１の部材と、
少なくとも１つの可撓性のある突出部（６０）を画定する第２の部材であって、前記可撓性のある突出部が、前記ポケットの１つにパチンと嵌ってその中に保持され、前記第１の部材が前記第２の部材に対して相対的に前記旋回軸の回りに旋回運動できるような大きさ及び形状である第２の部材と、
により特徴づけられる、分離可能なヒンジ構造。
【請求項１６】
前記可撓性のある突出部（６０）の柔軟性は、ひとりの人が、前記可撓性のある突出部を前記ポケットにパチンと嵌め、かつ、引き抜くことができるように選択されている、請求項１５に記載のヒンジ構造。
【請求項１７】
前記細長い溝（８６）は、それぞれ、円の一部からなる断面を有し、前記断面は、前記可撓性のある突出部を撓ませて前記ポケットにパチンと嵌めたときに、前記ポケットが前記可撓性のある突出部を閉じ込めることができるように１８０度を超えて延在する、請求項１５に記載のヒンジ構造。
【請求項１８】
前記可撓性のある突出部は、弧状指部（６０）を備え、前記弧状指部（６０）は、円の一部に沿っている、請求項１５に記載のヒンジ構造。
【請求項１９】
前記第２の部材は、基部に連結された複数の前記可撓性のある突出部を備え、前記可撓性のある突出部は、弧状指部（６０，６１）を備え、前記弧状指部は、円の一部に沿っており、一端が前記基部に取り付けられている、請求項１５に記載のヒンジ構造。
【請求項２０】
前記基部に取り付けられた前記弧状指部は、少なくとも１つの弧状指部（６０）であって、少なくとも１つの他の弧状指部（６１）の湾曲方向と反対の方向に湾曲方向を有する弧状指部を含む、請求項１９に記載のヒンジ構造。
【請求項２１】
前記１つ以上の溝は、それぞれ、縦長い開口部を画定し、前記指部は、前記開口部を通って延伸し、前記開口部は、前記第２の部材がほぼ水平な位置からほぼ直立した位置まで回転できるように充分に幅が広い、請求項２０に記載のヒンジ構造。
【請求項２２】
貨物室の側壁に旋回可能に取り付けられたデッキ・パネル用の支持システムであって、
床（１８）及び少なくとも２つの間隔をおいて配置された側壁（１４、１６）を有する貨物室（１２）と、
前記側壁の１つに旋回可能に取り付けられ、直立収納位置及び水平展開位置に配置可能である第１のデッキ・パネル（２１）であって、前記側壁から外側へ延びる側端部と、展開位置にある前記第１の側端部から突出する棚状部（２４ａ）と、を含む第１のデッキ・パネルと、
前記第１のデッキ・パネルに隣接して前記側壁に旋回可能に取り付けられ、直立収納位置及び水平展開位置に配置可能である第２のデッキ・パネル（２１’）と、
によって特徴付けられ、
展開位置にある前記第１のデッキ・パネルの前記棚状部は、展開位置にある前記第２のデッキ・パネルを支持するように構成される、支持システム。
【請求項２３】
前記棚状部（２４ａ）は、前記第１のデッキ・パネルの前記側端部上をスライド移動可能である、請求項２２に記載の支持システム。
【請求項２４】
前記棚状部（２４ａ）は、前記第１のデッキ・パネルの前記側端部上で旋回移動可能である、請求項２２に記載の支持システム。
【請求項２５】
前記棚状部（２４ａ）は、前記第１のデッキ・パネルの前記側端部に固定される、請求項２２の支持システム。
【請求項２６】
中にポケットを画定している第１の部材であって、前記ポケットが、旋回軸に沿って配置された細長い溝を画定しており、前記細長い溝の断面は、１８０度を超えて広がる円の一部である第１の部材と、
一定の突出部を画定する第２の部材であって、前記突出部が、前記第１の部材に対して第１の相対角度に配置されたときに前記ポケットに挿入され、前記第１の部材に対して第２の相対角度に配置されたときに前記ポケット内に保持されるような大きさ及び形状になっており、前記突出部が、さらに、前記突出部の前記ポケットに対する前記旋回軸回りの旋回運動を前記第１の相対角度と前記第２の相対角度との間で行えるような大きさ及び形状になっている第２の部材と
を備えるヒンジ構造。
【請求項２７】
前記一定の突出部は、前記第１の部材のポケットに挿入されるときにパチンと嵌るように可撓性がある、ことを特徴とする請求項２６に記載のヒンジ構造。
【請求項２８】
前記一定の突出部は、前記ポケットに挿入された後は、前記第２の部材に対する前記第１の部材の旋回運動の全範囲にわたって前記ポケット内に保持される、ことを特徴とする請求項２７に記載のヒンジ機構。
【請求項２９】
前記一定の突出部は、前記第２の部材が前記ポケットに挿入したときに前記第１の部材にパチンと嵌るように、固定用プランジャーをさらに備えており、前記固定用プランジャーは、半円形の断面を有し、前記突出部に対して相対的に配置されている、ことを特徴とする請求項２６に記載のヒンジ構造。